(57)【要約】
【課題】　従来の調節器の、抵抗負荷装置の抵抗を増やすために操作ノブをまわすことが難しく、抵抗による引っ張りが加わることで、ばね付勢された係合球と保持溝の係合が望外に外れるがある欠点を克服した、運動具の抵抗負荷装置の手動調節器を提供する。
【解決手段】　手動調節器は、ワイヤ５３を介して抵抗負荷装置に接続し、ケーシング２０に回転可能に取り付けられた細長い回転部材４０と、ケーシングに移動可能に取り付けられた摺動台座５０とを含む。摺動台座５０は、ワイヤ５３の接続端に接続し、回転部材４０の回転が、摺動台座５０の、回転部材５０の回転軸に平行な軸方向の直線運動を生じ、それが次に、ワイヤ５３の接続端の、軸方向の直線運動を生じさせるような方法で、回転部材４０と係合する。
【選択図】図３
0003099461.tif 000002
【実用新案登録請求の範囲】
【請求項１】
　抵抗負荷装置にワイヤを介して接続するのに適合した手動調節器であって、
　前記手動調節器は、ケーシングと、細長い回転部材と、摺動台座を含み、
　前記細長い回転部材は、前記ケーシングに回転可能に取り付けられ、回転軸を定め、前記回転軸周りに回転操作可能であり、
　前記摺動台座は、前記ケーシングに移動可能に取り付けられ、前記ワイヤの接続端に接続するのに適合しており、前記回転部材の回転が、該摺動台座の、前記回転軸に平行な軸方向の直線運動を生じ、それが次に、前記ワイヤの接続端の、前記軸方向の直線運動を生じさせるような方法で、前記回転部材と係合することを特徴とする手動調節器。
【請求項２】
　前記回転部材は、ねじ棒であり、前記摺動台座は可動台座部と固定台座部を含み、
　前記可動台座部は前記ねじとねじにより係合する内ねじが設けられており、
　前記固定台座部は前記ケーシングに動かないように設置され、前記可動台座部と前記ねじ棒との共回りを防ぐような方法で、前記可動台座部と摺り合うことを特徴とする請求項１に記載の手動調節器。
【請求項３】
　前記固定台座部は接触面を有し、前記可動台座部は迫り面(abutment face)を有しており、前記迫り面は、前記可動台座部の前記ねじとの共回りを防ぐように、摺動可能に前記固定台座部の前記接触面に対して接触することを特徴とする請求項２に記載の手動調節器。
【請求項４】
　前記ねじ棒は、多条ねじであることを特徴とする請求項２に記載の手動調節器。
【請求項５】
　前記ねじ棒に係合する手動操作機構を含み、
　該手動操作機構は、前記ねじ棒に隣接して前記ケーシング中に取り付けられた駆動歯車と、前記ねじ棒にしっかりと同軸に取り付けられて、前記駆動歯車と噛み合う従動ピニオンとを有していることを特徴とする請求項２に記載の手動調節器。
【請求項６】
　前記ケーシングは、側面の開口を設け、
　前記手動操作機構は、前記駆動歯車の調整を容易にするために、前記駆動歯車から前記ケーシングの前記側面の開口を貫いて外部に伸びているレバーを有することを特徴とする請求項２に記載の手動調節器。
【請求項７】
　前記ねじ棒に係合する手動操作機構をさらに含み、
　該手動操作機構は、前記ねじ棒に隣接して前記ケーシング中に回転可能に取り付けられた第１摩擦車と、前記ねじ棒に同軸にしっかりと取り付けられ、前記第１摩擦車と摩擦により係合する第２摩擦車と、前記第１摩擦車に同軸に接続され、前記ケーシングの上に取り付けられた調整つまみとを有し、
　前記第１摩擦車は、前記第２摩擦車よりも大きな直径を有することを特徴とする請求項２に記載の手動調節器。
【請求項８】
　前記ねじ棒に係合する手動操作機構をさらに含み、
　該手動操作機構は、前記ねじ棒に隣接して前記ケーシング中に回転可能に取り付けられた第１プーリと、前記ねじ棒に同軸にしっかりと取り付けられた第２プーリと、前記第１および第２プーリを連結する摩擦ベルトと、前記第１プーリに同軸に接続され、前記ケーシングの上に取り付けられた調整つまみとを有し、
　前記第１プーリは、前記第２プーリよりも大きな直径を有することを特徴とする請求項２に記載の手動調節器。
【請求項９】
　前記ねじ棒に係合する手動操作機構をさらに含み、
　該手動操作機構は、前記ねじ棒に隣接して前記ケーシング中に回転可能に取り付けられた第１溝付き車と、前記ねじ棒に同軸にしっかりと取り付けられた第２溝付き車と、前記第１および第２溝付き車を連結する玉付きチェーン、前記第１溝付き車に同軸に接続され、前記ケーシングの上に取り付けられた調整つまみとを有し、
　前記第１溝付き車は、前記第２溝付き車よりも大きな直径を有することを特徴とする請求項２に記載の手動調節器。
【請求項１０】
　前記ケーシングは、側面の開口を設け、
　前記ねじ棒に係合し、ラックとピニオンアセンブリを有する手動操作機構を含み、
　前記ラックとピニオンアセンブリは、前記ねじ棒に同軸にしっかりと取り付けられたピニオンと、前記ケーシングの中に配置され、前記回転軸に対し横方向に伸びたラック案内路を設けたラック保持部材と、前記ラック案内路に滑動可能に配置されて前記ピニオンと噛み合うラック部材と、前記ラック部材に接続されて前記ケーシングの前記側面の開口を貫いて外部に伸びる操作レバーとを有することを特徴とする請求項２に記載の手動調節器。
【請求項１１】
　抵抗負荷装置にワイヤを介して接続するのに適合した手動調節器であって、
　前記手動調節器は、ケーシングと、ねじ棒と、摺動台座と手動操作機構を含み、
　前記ねじ棒は、前記ケーシングに回転可能に取り付けられ、回転軸を定め、前記回転軸周りに回転操作可能であり、
　前記摺動台座は、前記ケーシングに移動可能に取り付けられ、前記ワイヤの一端を接続するのに適合しているとともに、前記ねじ棒と係合する内ねじが設けられており、
　前記手動操作機構は、前記ねじ棒と係合し、前記ケーシング中に取り付けられた駆動部品と、前記ねじ棒と同軸に取り付けられ、前記駆動部品と共回りするために前記駆動部品と係合する従動部品とを有し、
　前記従動部品の前記駆動部品に対する速度比は、前記摺動台座の直線的な増速された運動を可能にするためのものより大きいことを特徴とする手動調節器。
【請求項１２】
　抵抗負荷装置にワイヤを介して接続するのに適合した手動調節器であって、
　前記手動調節器は、ケーシングと、ねじ棒と、摺動台座と手動操作機構を含み、
　前記ケーシングは、側面の開口を設け、
　前記ねじ棒は、前記ケーシングに回転可能に取り付けられ、回転軸を定め、前記回転軸周りに回転操作可能であり、
　前記手動操作機構は、
　前記ねじ棒と係合し、前記ねじ棒に同軸にしっかりと取り付けられたピニオンを有するラックとピニオンアセンブリを含み、
　前記ラックとピニオンアセンブリは、前記ケーシング中に設置され、上面に前記回転軸に対し横方向に伸びたラック案内路を設けたラック保持部材と、前記ラック案内路に滑動可能に配置され、前記ピニオンと噛み合うラック部材と、前記ラック部材に接続され、前記ケーシングの前記側面の開口を貫いて外部に伸びる操作レバーとを有することを特徴とする手動調節器。
【考案の詳細な説明】
【技術分野】
【０００１】
　本考案は手動調節器、さらに詳しくは運動具の抵抗負荷装置の手動調節器に関する。
【背景技術】
【０００２】
　図１が最もよく示すように、従来の手動調節器１０は、運動具１の抵抗負荷装置３にワイヤ５を介して接続される。
【０００３】
　図２を参照すると、従来の手動調節器１０は、ケーシング１１、回転部材１３、ワイヤ続部材１５、柱ユニット１４、位置決めディスク１６および操作ノブ１２を有する。柱ユニット１４はケーシング１１内に動かないように取り付けらていれる。ワイヤ接続部材１５は、柱ユニット１４の周りに嵌合され、環状の溝１５１が形成されている。回転部材１３は、柱ユニット１４の周りに回転可能に嵌合され、共回りするように、ワイヤ続部材１５の上に設置され、該ワイヤ接続部材１５にしっかりと接続される環状の下部１３１を有する。ワイヤ５は、ワイヤ接続部材１５の環状の溝１５１に巻きつけられ、かつその中に配置されるとともに、第１端がワイヤ接続部材１５に固定されている。ケーシング１１の上面にはばね設置座１１”が形成され、向かい合う曲がった溝穴１１０が設けられ、左右のばね付勢された係合球１１１，１１２を受け入れている。位置決めディスク１６は、操作ノブ１２とばね設置座１１”との間に挟まれ、一連の左側の球保持溝１６１と一連の右側の球保持溝１６１を有し、操作ノブ１２と共に回転する。位置決めディスク１６は中央に矩形の開口を有し、回転部材１３にぴったり嵌合し共に回転する。左右のばね付勢された係合球１１１，１１２は、位置決めディスク１６の対応する球保持溝１６１の中に伸張されるように付勢され、これにより操作ノブ１２を静止状態に位置決めする。ワイヤ５の第２端は運動具の抵抗負荷装置に張力をもって接続されている。
【０００４】
　従来の調節器１０は、抵抗負荷装置３の抵抗を増やすために操作ノブ１２を回すことが難しいという欠点がある。さらに、ワイヤ５の張力の結果、逆向きに作用する引張力が加わることで、ばね付勢された係合球１１１，１１２の対応する保持溝１６１の１つとの係合が望外に外れることがある。
【考案の開示】
【考案が解決しようとする課題】
【０００５】
　したがって、本考案の目的は、前記従来の手動調節器の欠点を克服するような、運動具の抵抗負荷装置の手動調節器を提供することを課題とする。
【課題を解決するための手段】
【０００６】
　本考案によれば、手動調節器は抵抗負荷装置にワイヤを介して接続するように適合されている。手動調節器は、ケーシングと、ケーシングに回転可能に取り付けられ、回転軸を定め、回転軸周りに回転操作可能な細長い回転部材と、ケーシングに移動可能に取り付けられ、ワイヤの接続端を接続するのに適合した、回転部材の回転が摺動台座の回転軸に平行な軸方向の直線運動を生じ、それが次に、ワイヤの接続端の軸方向の直線運動を生じさせるように回転部材と係合する摺動台座とを有する。
【考案を実施するための最良の形態】
【０００７】
　本考案を、以下の好ましい実施形態に関してより詳細に説明する前に、明細書の中では類似した要素を示すために同じ符号を使用していることを注記しておく。
【０００８】
　図３から５に示すように、本考案による手動調節器の第１の好ましい実施形態は、ペダル式車輪２”および抵抗負荷装置３”と直立柱３’を有する運動具１００での使用に適合している。
【０００９】
　図に示すように、抵抗付加装置３”、好ましくは遅滞車輪は、ユーザがペダル式車輪２を漕ぐときに運動効果を与えるために、ペダル式車輪２”および第１の好ましい実施形態にワイヤ５３を介して、操作可能に接続されている。
【００１０】
　第１の好ましい実施形態は、ケーシング２０と、細長い回転部材４０と、摺動台座５０とを有している。
【００１１】
　ケーシング２０は、運動具１００の直立柱３’に動かないように取り付けられ、１つに組み合わされる上下半分のケーシング２１，２２からなっている。
【００１２】
　回転部材４０は、一対の（図３中には１つのみ図示）取付筒(mounting post)２４によってケーシング２０の中に回転可能に取り付けられており、回転軸を定め、回転軸周りに回転操作可能である。
【００１３】
　摺動台座５０は、ケーシング２０の中で移動可能に取り付けられ、ワイヤ５３の接続端に接続するのに適合しており、回転部材４０の回転が摺動台座５０の回転軸に平行な軸方向の直線運動を生じ、それが次に、ワイヤ５３の接続端の軸方向の直線運動を生じさせるような方法で、回転部材４０と係合する。ワイヤ５３の引っ張りの結果、摺動台座５０を介して回転部材４０に加えられる引張力は回転軸に平行な方向であるので、回転部材４０は、摺動台座５０の軸方向の動作を引き起こすように回転をすることができない。
【００１４】
　第１の好ましい実施形態において、回転部材４０は多条ねじ棒４２である。摺動台座５０は可動台座部５１と固定台座部５２を含む。可動台座部５１はねじ棒４２とねじにより係合する内ねじ５１１が設けられている。固定台座部５２はケーシング２０の下側の半ケーシング２２に取付座２５（図３参照）を介して動かないように設置され、可動台座部５１と摺接する。固定台座部５２は接触面５２０を有している。可動台座部５１は迫り面(abutment face)５１２を有しており、迫り面５１２は、可動台座部５１のねじ棒４２との共回りを防ぐように、摺動可能に固定台座部５２の接触面５２０に対して接触する。可動台座部５１の迫り面５１２は、ワイヤ５３の接続端を受け止める固定溝５１３が形成されている。ワイヤ５３の他端部は下側の半ケーシング２２の穴２６を貫通して（図６参照）、運動具１００の抵抗負荷装置３”と接続している（図４参照）。
【００１５】
　第１の好ましい実施形態は、ねじ棒４２に係合し、駆動歯車３１のような駆動部材と従動ピニオン４１のような従動部材を有する手動操作機構３０を有している。駆動歯車３１は、ベアリング２３の対（図３では１つのみ図示）によって、ねじ棒４２に隣接して、ケーシング２０の中に回転可能に取り付けられている。従動ピニオン４１は、ねじ棒４２にしっかりと同軸に取り付けられ、駆動歯車３１と噛み合う。駆動歯車３１は、上面に、ワイヤ５３を介して行う運動具１００の抵抗負荷装置３”の調節の範囲を示すための目盛（Ｃ）（図５参照）が記されている。上下の半ケーシング２２，２３は協働して側面の開口２８を形成する。駆動歯車３１は、従動ピニオン４１の調整を容易にするため、側面の開口２８を貫いてケーシング２０から部分的に露出している（図７参照）。この好ましい実施形態において、従動小車４１の駆動歯車３１に対する速度比は１より大きく、これにより、駆動歯車３１の１回転は、従動小歯４１をねじ棒４２と一緒に複数回転させ、可動台座部５１を容易に進ませる。
【００１６】
　図８を参照すると、本考案による手動調節器の第２の好ましい実施形態は、第１の好ましい実施形態と同様の構造を有する。存する主な違いは、手動操作機構３０’が、レバー３１１’をさらに有することである。このレバー３１１’は、駆動歯車３１’の調整を容易にするために、駆動歯車３１’からケーシング２０’の側面の開口２８’を貫通して外部に伸びている。
【００１７】
　図９を参照すると、本考案による手動調節器の第３の好ましい実施形態は、第１の好ましい実施形態と同様の構造を有する。存する主な違いは、手動操作機構６０が、ねじ棒６３に隣接してケーシング６１に回転可能に取り付けられた第１摩擦車６２２と、ねじ棒６３に同軸にしっかりと取り付けられ、第１摩擦車６２２と摩擦により係合する第２摩擦車６３１と、第１摩擦車６２２に連結軸６２を介して同軸に接続され、ケーシング６１の上に取り付けられた調整つまみ６２１とを有することである。第１摩擦車６２２は第２摩擦車６３１よりも大きな直径を有し、これにより、第１摩擦車６２２の１回転は、第２摩擦車６３１をねじ棒６３と一緒に複数回転させる。
【００１８】
　図１０を参照すると、本考案による手動調節器の第４の好ましい実施形態は、第１の好ましい実施形態と同様の構造を有する。存する主な違いは、手動操作機構６６が、ねじ棒６３’に隣接してケーシング６１’に回転可能に取り付けられた第１プーリ６２２’と、ねじ棒６３’に同軸にしっかりと取り付けられた第２プーリ６３１’と、第１および第２プーリ６２２’，６３１’を連結する摩擦ベルト６２５と、第１プーリ６２２’に連結軸６２’を介して同軸に接続され、ケーシング６１’の上に取り付けられた調整つまみ６２１’とを有することである。第１プーリ６２２’は第２プーリ６３１’より大きな直径を有する。
【００１９】
　図１１を参照すると、本考案による手動調節器の第５の好ましい実施形態は、第１の好ましい実施形態と同様の構造を有する。存する主な違いは、手動操作機構６０”が、ねじ棒６３”に隣接してケーシング６１”に回転可能に取り付けられた第１溝付き車６２２”と、ねじ棒６３”に同軸にしっかりと取り付けられた第２溝付き車６３１”と、第１および第２溝付き車６２２”，６３１”を連結する玉付きチェーン６２”とを有することである。第１溝付き車６２２”は第２溝付き車６３１”より大きな直径を有する。
【００２０】
　図１２および１３を参照すると、本考案による手動調節器の第６の好ましい実施形態は、第１の好ましい実施形態と同様の構造を有する。存する主な違いは、手動操作機構７０が、ピニオン７３２とラック部材７４とラック保持部材７２とを有するラックとピニオンアセンブリを含むことである。ピニオン７３２はねじ棒７３３に同軸にしっかりと取り付けられている。ラック保持部材７２は、ケーシング７１の中に配置され、回転軸に対し横方向に伸びたラック案内路７２１が形成され、ねじ棒７３３に平行な方向に伸びる側面７２５を有し、側面７２５から横方向に伸びる取付壁７２０を有する。取付壁７２０は、ねじ棒７３３の上端７３１が、取付壁７２０の取付穴７２２を貫いて伸びていることで、上部半ケーシングとピニオン７３２との間に配置される。ラック部材７４、好ましくは可撓性のラックは、ラック案内路中７２１に滑動可能に配置され、側面の開口７２３を通してピニオン７３２と噛み合う。操作レバー７４１は、ラック部材７４に接続され、操作し易いようにケーシング７１の側面の開口７１１を貫いて外部に伸びている。
【００２１】
　本考案による手動調節器の採用によって、従来技術の前記欠点は克服される。
【図面の簡単な説明】
【００２２】
【図１】従来の手動調節器を有する運動具の斜視図である。
【図２】従来の手動調節器の分解斜視図である。
【図３】本考案による第１の好ましい実施形態の手動調節器の分解斜視図である。
【図４】本考案による手動調節器を有する運動具の斜視図である。
【図５】第１の好ましい実施形態の断面を示す平面図である。
【図６】第１の好ましい実施形態の部分断面側面図である。
【図７】第１の好ましい実施形態の部分断面側面図であり、いかに回転部材の回転が、該回転部材に関連して摺動台座の直線的な動きを生じるかを示す。
【図８】本考案による第２の好ましい実施形態の手動調節器の分解斜視図である。
【図９】本考案による第３の好ましい実施形態の手動調節器の分解斜視図である。
【図１０】本考案による第４の好ましい実施形態の手動調節器の分解斜視図である。
【図１１】本考案による第５の好ましい実施形態の手動調節器の分解斜視図である。
【図１２】本考案による第６の好ましい実施形態の手動調節器の分解斜視図である。
【図１３】第６の好ましい実施形態の断面を示す平面図である。
【符号の説明】
【００２３】
　１，１００　運動具
　３，３”　抵抗負荷装置
　５　ワイヤ
　１０　手動調節器
　１１，２０，２０’　ケーシング
　１３　回転部材
　２８　側面の開口
　３０，３０’　手動操作機構
　３１，３１’　駆動歯車
　３１１’　レバー
　４０　回転部材
　４１　従動ピニオン
　４２　ねじ棒
　５０　摺動台座
　５１　可動台座部
　５１２　迫り面
　５２　固定台座部
　５２０　接触面
　５３　ワイヤ
　６０，６０”　手動操作機構
　６１，６１’，６１”　ケーシング
　６２”　玉付きチェーン
　６２１，６２１’，６２１”　調整つまみ
　６２２　第１摩擦車
　６２２’　第１プーリ
　６２２”　第１溝付き車
　６２５　摩擦ベルト
　６３，６３’，６３”　ねじ棒
　６３１　第２摩擦車
　６３１’　第２プーリ
　６３１”　第２溝付き車
　６６　手動操作機構
　７０　手動操作機構
　７１　ケーシング
　７１１　側面の開口
　７２　ラック保持部材
　７２１　ラック案内路
　７３２　ピニオン
　７３３　ねじ棒
　７４　ラック部材
　７４１　操作レバー
【図１】
0003099461.tif 000003
【図２】
0003099461.tif 000004
【図３】
0003099461.tif 000005
【図４】
0003099461.tif 000006
【図５】
0003099461.tif 000007
【図６】
0003099461.tif 000008
【図７】
0003099461.tif 000009
【図８】
0003099461.tif 000010
【図９】
0003099461.tif 000011
【図１０】
0003099461.tif 000012
【図１１】
0003099461.tif 000013
【図１２】
0003099461.tif 000014
【図１３】
0003099461.tif 000015